(57)【要約】【課題】釣人が船釣りを軽快に楽しむために、周辺機器をシステマチックに保持することができる釣具アタッチメントの提供。【解決手段】この釣具アタッチメント１０は、船縁等に連結される連結具１８と、支持ボード１９とを備える。連結具１８は、スライドレール２１と、これに係合されたスライダ３８とを有する。スライドレール２１側に嵌合ピン３６、スライダ３８側に嵌合ピン５７が設けられており、両者は対向している。スライドレール２１とスライダ３８との間に位置決め機構４０が介在している。位置決め機構４０は、スライドレール２１側に設けられた嵌合凹部と、スライダ３８側に設けられた係止爪４２とを有する。係止爪４２が上記嵌合凹部と嵌合すると、スライダ３８はスライドレール２１の所定位置に位置決めされる。【選択図】図３
2018093767.tif 000002
【特許請求の範囲】
【請求項１】
船縁その他所定のアンカに連結される連結具と、
当該連結具に設けられ、周辺機器が取り付けられる取付部を有する周辺機器保持具とを備え、
上記連結具は、
スライドベースと、
当該スライドベースに突設された第１係合部と、
上記スライドベースに対してスライド自在に設けられたスライダと、
当該スライダに設けられ、上記第１係合部と対向するように上記スライダに突設された第２係合部とを備えている釣具アタッチメント。
【請求項２】
上記スライドベースは上下方向に延び、上記第１係合部は下方に突出しており、
上記スライダは上記スライドベースに沿って上下方向にスライドし、上記第２係合部は上方に突出している請求項１に記載の釣具アタッチメント。
【請求項３】
上記スライドベースに対して上記スライダを位置決めする位置決め機構が設けられている請求項１又は２に記載の釣具アタッチメント。
【請求項４】
上記位置決め機構は、
上記スライドベースの所定位置に設けられた嵌合凹部と、
上記スライダに延設され、上記嵌合凹部と嵌合する向きに弾性的に付勢された係止爪とを有し、
上記嵌合凹部を区画する壁面は、上記スライダが上記スライドベースに対してスライドしたときに上記係止爪が案内されるように、上記スライドベースの外面と滑らかに連続している請求項３に記載の釣具アタッチメント。
【請求項５】
上記位置決め機構は、
上記スライドベースの所定位置に設けられた嵌合凹部と、
上記スライダに延設され、上記嵌合凹部と嵌合する向きに弾性的に付勢された係止爪とを有し、
上記係止爪は、上記嵌合凹部に対して弾性的に接離する弾性アーム及び当該弾性アームに連続する係合ヘッドを有し、
当該係合ヘッドは、
上記壁面と対向し且つ上記嵌合凹部と嵌合する爪本体が突設された基板と、
当該基板に連続して上記スライドベースの側面を覆うように配置される一対の補助板とを有する請求項３に記載の釣具アタッチメント。
【請求項６】
上記スライダは、
上記スライドベースと係合するスライダ本体及び当該スライダ本体に突設され、上記第２係合部を支持する支持アームを有し、
上記スライダ本体は、上記第２係合部側に突出する弾性変形可能な安全ブロックを備えている請求項１から５のいずれかに記載の釣具アタッチメント。
【請求項７】
上記第１係合部に対して上記第２係合部が接近するように上記スライダを弾性的に付勢する付勢機構が設けられている請求項１に記載の釣具アタッチメント。
【発明の詳細な説明】
【技術分野】
【０００１】
この発明は、たとえば船釣りに際してロッド及びリール以外の周辺機器を保持するための釣具アタッチメントの構造に関するものである。
【背景技術】
【０００２】
たとえば船釣りでは、釣人は、船体に搭載された魚群探知機から送られるデータを表示するモニタを使用することがあり、また、長尺の仕掛けが絡まないように、いわゆる手返しの際に当該仕掛けを仮保持する仕掛けホルダを特別に使用することがある。つまり、船釣りでは、ロッド及びリール以外にも釣種に応じてさまざまな釣り道具（周辺機器）が使用される（たとえば特許文献１参照）。これら周辺機器は、釣人が携行するものもあれば、船体に備え付けられているものもある。実釣において、釣人は、このような周辺機器を一々身に付けることはできないので、通常は、船縁にブラケット等を設け、そのブラケットを介して周辺機器を取り付ける。
【先行技術文献】
【特許文献】
【０００３】
【特許文献１】特開２０１６−１７１７５８号公報
【発明の概要】
【発明が解決しようとする課題】
【０００４】
各周辺機器は釣種に応じて（ターゲットとなる魚に応じて）使い分けられる。つまり、一のターゲット用として使用される周辺機器は、他のターゲット用としては使用されないこともある。また、各周辺機器の形状、サイズは一般に異なるため、その取付要領もさまざまである。したがって、各周辺機器を保持するために複数の専用ブラケットが用意されなければならず、釣人としては多くの装備が必要であった。
【０００５】
本発明はかかる背景のもとになされたものであって、その目的は、釣人が船釣りを軽快に楽しむために周辺機器をシステマチックに保持することができる釣具アタッチメントを提供することである。
【課題を解決するための手段】
【０００６】
一般に釣船の船縁には、釣道具等の取り付け乃至仮保持に利用することができる貫通孔や窪みが設けられている。また、上記特許文献１は、船釣りの際に使用される万力について開示している。この万力は、船縁に固定されるものであり、実釣において使用されるロッドを保持するロッドキーパーが取り付けられるようになっている。この万力は、一対の脚を備えており、この脚の上端部及び下端部にも孔が設けられている。本願の発明者は、このような貫通孔等を利用することによって、船釣りに供される周辺機器をコンパクト且つシステマチックに保持することができると考えた。
【０００７】
(1) 本発明に係る釣具アタッチメントは、船縁その他所定のアンカに連結される連結具と、当該連結具に設けられ、周辺機器が取り付けられる取付部を有する周辺機器保持具とを備える。上記連結具は、スライドベースと、当該スライドベースに突設された第１係合部と、上記スライドベースに対してスライド自在に設けられたスライダと、当該スライダに設けられ、上記第１係合部と対向するように上記スライダに突設された第２係合部とを備えている。
【０００８】
釣人は、上記連結具を操作して釣具アタッチメントを船縁に固定する。すなわち、釣人は、上記スライドベースに対して上記スライダをスライドさせることにより、上記第１係合部と第２係合部との間の距離を変化させることができる。当該距離が十分に確保された状態で、上記第１係合部及び第２係合部が船縁あるいはアンカに設けられた貫通孔、窪み等に係合される。釣人は、上記スライダをスライドさせて、上記第１係合部と第２係合部との間の距離を狭めることができる。これにより、上記第１係合部及び第２係合部が上記貫通孔等に嵌め込まれながら、上記スライドベース及びスライダが上記船縁あるいはアンカを挟み込む。上記連結具に周辺機器保持具が設けられているから、周辺機器は、この周辺機器保持具に取り付けられる。周辺機器保持具は上記取付部を備えるから、さまざまな周辺機器が周辺機器取付具に保持される。
【０００９】
(2) 上記スライドベースは上下方向に延び、上記第１係合部は下方に突出しており、上記スライダは上記スライドベースに沿って上下方向にスライドし、上記第２係合部は上方に突出しているのが好ましい。
【００１０】
この構成では、釣人は、上記スライドベースに対して上記スライダを上下方向に沿ってスライドさせる。これにより、上記第１係合部と第２係合部との間の距離を変化させる動作がより簡単になる。
【００１１】
(3) 上記スライドベースに対して上記スライダを位置決めする位置決め機構が設けられているのが好ましい。
【００１２】
この構成では、上記スライドベースと上記スライダとの距離、すなわち上記第１係合部と第２係合部との間の距離が一定の保持力で保持される。したがって、上記スライドベース及びスライダが上記船縁を安定して挟持することができる。
【００１３】
(4) 上記位置決め機構は、上記スライドベースの所定位置に設けられた嵌合凹部と、上記スライダに延設され、上記嵌合凹部と嵌合する向きに弾性的に付勢された係止爪とを有して構成され得る。上記嵌合凹部を区画する壁面は、上記スライダが上記スライドベースに対してスライドしたときに上記係止爪が案内されるように、上記スライドベースの外面と滑らかに連続しているのが好ましい。
【００１４】
この構成では、釣人がスライダをスライドさせることにより、上記係止爪が上記嵌合凹部に接近する。この係止爪は、常時嵌合凹部側に付勢されているから、上記スライダと共にスライドする係合爪は、上記嵌合凹部を区画する壁面に案内されつつ当該嵌合凹部に進入し嵌合する。つまり、釣人は、スライダをスライドさせるだけで、当該連結具を簡単に船縁に取り付けることができる。
【００１５】
(5) 上記位置決め機構は、上記スライドベースの所定位置に設けられた嵌合凹部と、上記スライダに延設され、上記嵌合凹部と嵌合する向きに弾性的に付勢された係止爪とを有して構成され得る。上記係止爪は、上記嵌合凹部に対して弾性的に接離する弾性アーム及び当該弾性アームに連続する係合ヘッドを有し、当該係合ヘッドは、上記壁面と対向し且つ上記嵌合凹部と嵌合する爪本体が突設された基板と、当該基板に連続して上記スライドベースの側面を覆うように配置される一対の補助板とを有するものであってもよい。
【００１６】
この構成では、上記基板及び補助板によってスライドベースが囲繞された状態となり、上記基板に突設された爪本体がスライドベース側に弾性付勢される。この爪本体が上記嵌合凹部と位置合わせされたときに、爪本体が上記弾性力で嵌合凹部側へ移動し、両者が嵌合する。係合ヘッドがスライドベースから離反する向きに引っ張られると、弾性アームが弾性変形し、爪本体が嵌合凹部から脱出する。
【００１７】
(6) 上記スライダは、上記スライドベースと係合するスライダ本体及び当該スライダ本体に突設され、上記第２係合部を支持する支持アームを有し、上記スライダ本体は、上記第２係合部側に突出する弾性変形可能な安全ブロックを備えているのが好ましい。
【００１８】
この構成では、上記支持アームがスライダ本体に設けられているから、この支持アームの弾性変形により上記係止爪が簡単且つ確実に付勢される。また、上記第１係合部及び第２係合部が上記貫通孔等に嵌め込まれていることから、実釣において当該釣具アタッチメントが上記第１係合部及び第２係合部を中心として回動する可能性がある。仮に釣具アタッチメントが大きく回動した場合、上記周辺機器保持具に取り付けられた周辺機器が大きく旋回して船体等に衝突する可能性がある。しかし、釣具アタッチメントが大きく回動したとしても、上記安全ブロックが設けられているから、当該安全ブロックが船縁等と接触することにより、上記第１係合部及び第２係合部を中心とする回動が規制される。しかも、この安全ブロックは弾性変形可能であるから、上記安全ブロックが船縁等と接触した状態で大きな外力が作用したとしても安全ブロックの破壊は回避されるし、周辺機器が激しく船体と衝突することはない。
【００１９】
(7) 上記第１係合部に対して上記第２係合部が接近するように上記スライダを弾性的に付勢する付勢機構が設けられていてもよい。
【００２０】
この構成によれば、釣人は、上記付勢機構による付勢力に抗してスライダをスライドさせて上記第１係合部と第２係合部との間の距離を十分に大きくする。この状態で、当該第１係合部及び第２係合部を上記貫通孔等と位置合わせし、スライダを自由にスライドさせる。スライダは上記付勢機構に付勢され、その弾性力によって上記スライドベースと協働して上記船縁を挟持する。つまり、釣人は、きわめて簡単な操作で、当該連結具を船縁に取り付けることができる。
【発明の効果】
【００２１】
この発明によれば、釣人が上記スライドベースに対してスライダをスライドさせるだけで当該釣具アタッチメントが簡単に船縁に着脱される。この釣具アタッチメントは、さまざまな周辺機器を保持することができるので、釣人は、船釣りに際して、釣種に関わらず必要な周辺機器をシステマチックに迅速にセットすることができる。
【図面の簡単な説明】
【００２２】
【図１】図１は、本発明の一実施形態に係る釣具アタッチメント１０の外観斜視図である。
【図２】図２は、釣具アタッチメント１０の使用状態の斜視図である。
【図３】図３は、釣具アタッチメント１０の拡大斜視図である。
【図４】図４は、釣具アタッチメント１０の要部拡大分解斜視図である。
【図５】図５は、釣具アタッチメント１０の要部拡大分解斜視図である。
【図６】図６は、釣具アタッチメント１０の連結具１８の縦断面を示す要部拡大斜視図である。
【図７】図７は、釣具アタッチメント１０の連結具１８の横断面を示す要部拡大斜視図である。
【図８】図８は、本発明の他の実施形態に係る釣具アタッチメント７０の外観斜視図
【図９】図９は、釣具アタッチメント７０の分解斜視図である。
【図１０】図１０は、釣具アタッチメント７０の連結具７１の横断面を示す要部拡大斜視図である。
【図１１】図１１は、釣具アタッチメント７０の連結具７１の縦断面を示す要部拡大斜視図である。
【発明を実施するための形態】
【００２３】
以下、本発明の好ましい実施形態が、適宜図面が参照されつつ説明される。なお、本実施の形態は、本発明に係る釣具アタッチメントの一態様にすぎず、本発明の要旨を変更しない範囲で実施態様が変更されてもよいことは言うまでもない。
【００２４】
図１は、本発明の一実施形態に係る釣具アタッチメント１０の外観斜視図である。同図では、当該釣具アタッチメント１０がアンカ１１に取り付けられる状態を示している。
【００２５】
アンカ１１は、図示されていない船縁に固定されるようになっている。たとえば船釣りの際に使用されるロッドキーパは、このアンカ１１の中央部３２に固定される。アンカ１１は、同図が示すように全体としてＶ字状を呈し、アッパーアーム１２、ロアアーム１３及びこれらを連結する２本の連結ロッド１４を備えている。ロアアーム１３にネジ軸１５が螺合されている。釣人がネジ軸１５を操作すると、矢印１７の方向（本実施形態では上下方向）にネジ軸１５がスライドし、当該ネジ軸１５とアッパーアーム１２との間に船縁が挟み込まれる。これにより、アンカ１１が船縁に固定される。
【００２６】
アッパーアーム１２の両端部及びロアアーム１３の両端部に貫通孔１６が形成されている。貫通孔１６は上下方向１７に延びている。連結ロッド１４は筒状に形成されており、この連結ロッド１４の両端部は、貫通孔１６に嵌め込まれている。これにより、貫通孔１６は、連結ロッド１４の内部と連通している。釣具アタッチメント１０は、後述の要領で上記貫通孔１６に嵌め合わされるようになっている。
【００２７】
なお、本実施形態では、アンカ１１の貫通孔１６に釣具アタッチメント１０が嵌め合わされるようになっているが、たとえば船縁に孔が設けられている場合には、その孔に釣具アタッチメント１０が嵌め込まれてもよい。また、本実施形態では、上記孔あるいは貫通孔１６が上下方向１７に沿って配置されているが、釣具アタッチメント１０が嵌め合わされる孔あるいは貫通孔１６は、上下方向１７以外の方向に沿って配置されていてもよい。
【００２８】
図２は、釣具アタッチメント１０の斜視図であり、当該釣具アタッチメント１０の使用状態が示されている。図３は、釣具アタッチメント１０の拡大斜視図である。
【００２９】
釣具アタッチメント１０は、連結具１８及び支持ボード１９（特許請求の範囲に記載された「周辺機器保持具」に相当）とを備えている。本実施形態では、支持ボード１９にモニタボックス２０が着脱自在に設けられている。このモニタボックス２０は、船釣りに供されるモニタを収容し保持する。このモニタとは、船釣りの際に使用される周辺機器の一例であり、魚群探知機から送られるデータを表示する装置である。もっとも、モニタボックス２０の他に種々の釣具や釣具を仮保持する道具が支持ボード１９に取り付けられてもよい。
【００３０】
図４及び図５は、釣具アタッチメント１０の要部拡大分解斜視図である。
【００３１】
釣具アタッチメント１０は、本実施形態では樹脂から構成されている。もっとも、釣具アタッチメント１０を構成する材料は樹脂に限定されるものではない。図３及び図４が示すように、連結具１８は、スライドレール２１（特許請求の範囲に記載された「スライドベース」に相当）及び上係合部２２（特許請求の範囲に記載された「第１係合部」に相当）並びにスライダ３８及び下係合部３９（特許請求の範囲に記載された「第２係合部」に相当）を備えている。
【００３２】
スライドレール２１は、細長板状を呈し、上下方向１７に延びている。図４が示すように、上係合部２２及び支持ボード１９は、スライドレール２１と一体的に形成されている。もっとも、支持ボード１９は、スライドレール２１及び上係合部２２と別体として構成され、たとえばネジ締結構造を介してスライドレール２１に取り付けられていてもよい。
【００３３】
スライドレール２１は、複雑な形状であるが、全体として上下方向１７に延びるフラットバー状を呈する。スライドレール２１の両側面３３に上下方向１７に沿って延びるスライド溝２３が形成されている。スライドレール２１の前面２４（特許請求の範囲に記載された「外面」に相当）に嵌合凹部２５、２６及び仮保持溝２７、２８が形成されている。本実施形態では、二つの嵌合凹部２５、２６が形成されているが、嵌合凹部の数は特に限定されるものではない。また、仮保持溝２７、２８は、嵌合凹部２５、２６に隣設されているが、省略されてもよい。上記嵌合凹部２５、２６は、後述の位置決め機構４０（図３参照）の構成要素である。
【００３４】
スライド溝２３は、細長の真直な溝であり、所定の幅寸法及び深さ寸法が設定されている。上記嵌合凹部２５、２６及び仮保持溝２７、２８は、上記前面２４が湾曲乃至屈曲されることにより区画されている。すなわち、嵌合凹部２５は、前面２４に連続して上下方向１７と直交する向き２９に延びる当接面３０と、この当接面３０に連続して上向きに延びて前面２４と連続する傾斜面３１（特許請求の範囲に記載された「壁面」に相当）を有する。嵌合凹部２６も嵌合凹部２５と同様の形状である。仮保持溝２７は、台形状の浅い窪みであり、上記前面２４と連続する緩やかな一対の傾斜面３４を備えている。仮保持溝２８も仮保持溝２７と同様の形状である。
【００３５】
上係合部２２は、張出アーム３５及び嵌合ピン３６を有する。同図が示すように、これらはスライドレール２１と一体的に形成されている。張出アーム３５は、スライドレール２１の上端から上下方向１７と直交する向き３７に張り出している。張出アーム３５の張出寸法は、特に限定されるものではなく、適宜設定され得る。張出アーム３５の先端に嵌合ピン３６が下向きに突設されている。嵌合ピン３６は、本実施形態では円柱状に形成されている。もっとも、嵌合ピン３６の外形形状は円柱状に限定されるものではなく、アンカ１１の貫通孔１６（図１参照）に嵌め合わされるものであればよい。
【００３６】
図６は、連結具１８の縦断面を示す要部拡大斜視図である。図７は、連結具１８の横断面を示す要部拡大斜視図である。
【００３７】
図４及び図５が示すように、スライダ３８は、全体として上下方向１７に延びる細長部材であり、本実施形態では樹脂により構成されている。スライダ３８は、スライダ本体４１と、スライダ本体４１に設けられた係止爪４２及び上記下係合部３９とを備えている。本実施形態では、スライダ本体４１、係止爪４２及び下係合部３９は、一体的に形成されている（図６参照）。
【００３８】
スライダ本体４１は、上下方向１７に延びる柱状部材であり、その断面形状はＣ字状に形成されている。すなわち、スライダ本体４１は、天板部４３と、天板部４３の両側に連続する側板部４４、４５とを有する。スライダ本体４１の内面（すなわち側板部４４、４５の内面）に係合突起４６、４７（図７参照）が突設されている。図４及び図５では、側板部４４に設けられた係合突起４６、４７のみが図示されている。側板部４４、４５にそれぞれ設けられた係合突起４６並びに係合突起４７は、それぞれ互いに対向配置されている。係合突起４６、４７は、上記スライドレール２１のスライド溝２３に嵌め込まれる。係合突起４６、４７の外形形状は、スライド溝２３に対してスライド自在となるように形成されている。なお、側板部４４、４５に矩形の貫通孔５２が形成されている。これにより、側板部４４、４５の軽量化が図られている。もっとも、この貫通孔５２は省略されてもよい。
【００３９】
天板部４３に矢印３７の向きに突出するブロック５３（特許請求の範囲に記載された「安全ブロック」に相当）が設けられている（図７参照）。このブロック５３は、天板部４３と一体的に形成されている。ブロック５３の外形形状は、図７が示すように直方体状である。ただし、本実施形態では、ブロック５３を貫通する孔５４が形成されており、いわゆる肉抜きが図られている。図４及び図７が示すように、ブロック５３の外周面５５に面取加工が施されている。ブロック５３に孔５４が設けられ、外周面５５に面取加工が施されることにより、ブロック５３の剛性が低下している。したがって、ブロック５３は、外力を受けたときに容易に弾性変形するようになっている。
【００４０】
図５及び図６が示すように、係止爪４２は、弾性アーム４８及びヘッド４９（特許請求の範囲に記載された「係合ヘッド」に相当）を備えている。弾性アーム４８は、上記スライダ本体４１の上端に連続している。弾性アーム４８は、同図が示すように細長のフラットバーであり、矢印２９及び矢印３７の向きに弾性的に撓む。ヘッド４９は、弾性アーム４８の上端に連続して形成されている。ヘッド４９は、基板５０と、基板５０の両側に連続する一対の補助板５１を有し、全体としてＣ字状に形成されている。基板５０の内面に爪本体６１が突設されている。この爪本体６１は、矢印２９の向き、すなわちスライドレール２１側へ突出している。一対の補助板５１は、図５が示すように互いに対向配置されている。両者の間隔は、スライドレール２１の幅寸法に対応しており、後述のようにスライダ３８がスライドレール２１と係合した状態で、一対の補助板５１の間にスライドレール２１が入り込むようになっている。
【００４１】
下係合部３９は、支持アーム５６及び嵌合ピン５７を備えている。この支持アーム５６は、スライダ本体４１と一体的に形成されている。支持アーム５６は、スライダ本体４１の下端に連続し、矢印３７の向きに延びている。支持アーム５６は、スライダ本体４１にいわゆる片持ち支持された梁部材である。支持アーム５６の断面形状は特に限定されるものではないが、本実施形態ではＣ字状に形成されている。つまり、支持アーム５６はいわゆる肉抜きされた形状を有し（図６参照）、軽量化が図られている。この支持アーム５６の先端部に嵌合ピン５７が上向きに突設されている。支持アーム５６が矢印３７の向きに張り出すことにより、嵌合ピン５７は、上下方向１７に沿って上記嵌合ピン３６と対向する（図３参照）。
【００４２】
図７が示すように、嵌合ピン５７は、本実施形態では全体として円柱状に形成されている。もっとも、嵌合ピン５７の外形形状は円柱状に限定されるものではなく、アンカ１１の貫通孔１６（図１参照）に嵌め合わされるものであればよい。嵌合ピン５７に貫通孔５８が形成されており、これにより嵌合ピン５７もいわゆる肉抜きされている。もっとも、この貫通孔５８は省略されてもよい。嵌合ピン５７の上部が切りかかれている。これにより、嵌合ピン５７に一対の突起５９、６０が設けられている。各突起５９、６０は上向きに突出し、互いに対向している。この突起５９、６０が設けられることによる作用効果は後述される。
【００４３】
図３が示すように、スライダ３８は、スライドレール２１と嵌め合わされる。具体的には、図４が示すように、ヘッド４９がスライドレール２１の下端に位置合わせされた状態で、スライダ３８が上向きに移動される。ヘッド４９の補助板５１がスライドレール２１の側面３３を覆った状態でヘッド４９が上向きに移動する。図５及び図６が示すように、基板５０はスライドレール２１の前面２４と対向し、基板５０に設けられた爪本体６１が前面２４と摺接する。爪本体６１はスライドレール２１側に突出しているから、スライダ本体４１に設けられた弾性アーム４８はスライドレール２１から矢印３７の向きに離反するように弾性変形する。つまり、爪本体６１は、スライドレール２１側に弾性的に付勢される。
【００４４】
図７が示すように、スライダ３８が上方へさらにスライドされると、スライダ本体４１に設けられた係合突起４６、４７がスライドレール２１に形成されたスライド溝２３と嵌合する。これにより、スライダ３８は、スライドレール２１に沿って上下方向１７に円滑にスライドすることができる。スライダ３８が上方へスライドすると、爪本体６１はスライドレール２１に沿って移動する。図５及び図６が示すように、爪本体６１がスライドレール２１に形成された嵌合凹部２５、２６に達すると、爪本体６１は前述のように弾性付勢されている、すなわち嵌合凹部２５、２６と嵌合する向きに付勢されているから、嵌合凹部２５、２６に嵌り込む。
【００４５】
スライドレール２１に仮保持溝２７、２８が設けられているので、爪本体６１が仮保持溝２７、２８に近づくと傾斜面３４（図４参照）に案内されて仮保持溝２７、２８と係合する。これにより、スライダ３８は、スライドレール２１に一旦仮保持される。スライダ３８に対して上下方向１７に沿う外力が作用すると、爪本体６１は傾斜面３４に案内されて仮保持溝２７、２８から容易に脱出し、さらにスライドレール２１に沿ってスライドする。
【００４６】
爪本体６１が嵌合凹部２５、２６に嵌り込んだ状態で、スライダ３８に対して上向きに外力が作用すると、爪本体６１は傾斜面３１（図４参照）に案内されて嵌合凹部２５、２６から脱出することができる。このようにして、スライダ３８は、スライドレール２１に沿って上向きにスライドし、嵌合ピン３６と嵌合ピン５７との距離が変化する。図６が示すように、爪本体６１が嵌合凹部２５、２６に嵌り込んだ状態では、爪本体６１が当接面３０と当接する。この当接面３０は、前述のように前面２４に連続して矢印２９の向きに延びている。すなわち、当接面３０と前面２４とが直交している。したがって、爪本体６１が嵌合凹部２５、２６に嵌り込んだ状態でスライダ３８に下向きの外力が作用したとしても、スライダ３８は移動できない。ただし、爪本体６１を支持する弾性アーム４８が可撓性を有するので、たとえば釣人が意図的にヘッド４９をスライドレール２１から離反する向きに引っ張ることにより、弾性アーム４８が弾性変形し、爪本体６１が嵌合凹部２５、２６から脱出する。これにより、スライダ３８は、下向きにスライド可能となる。
【００４７】
このように、スライダ３８は、スライドレール２１に対して所定位置（嵌合凹部２５、２６が設けられた位置）で位置決めされるようになっている。すなわち、上記嵌合凹部２５、２６及び係止爪４２によって、スライダ３８の位置決め機構４０が構成されている。実釣において釣人は、爪本体６１を嵌合凹部２５、２６に嵌め合わすことにより、嵌合ピン３６と嵌合ピン５７との間の距離を調整することができる（図３参照）。したがって、当該連結具１８を介してアンカ１１に釣具アタッチメント１０を簡単に挟みつけることができる。なお、本実施形態では、アンカ１１側に形成された貫通孔１６に、連結具１８側に設けられた嵌合ピン３６、５７が嵌め込まれるが、アンカ１１側に嵌合ピン３６、５７が突設され、連結具１８側に貫通孔１６が形成されていてもよい。
【００４８】
図３が示すように、支持ボード１９は、連結具１８のスライドレール２１と一体的に形成されており、本実施形態では、薄肉板状に形成されている。支持ボード１９に種々のスリット状の孔６５〜６８、ブラケット６９、取付台７０、７１（特許請求の範囲に記載された「取付部」に相当）が設けられている。これらにさまざまな釣り道具等が取り付けられるようになっている。前述のように、支持ボード１９は、スライドレール２１に対して所定の連結構造を介して連結されていてもよい。この場合、様々な仕様の支持ボード１９が予め用意されることにより、実釣において支持ボード１９を交換するだけで様々な周辺機器が釣具アタッチメント１０に保持される。
【００４９】
以上のように、釣人は、釣具アタッチメント１０をアンカ１１に取り付けることができるので、上記モニタ等の周辺機器は、簡単且つシステマチックに船縁周辺に配置される。
【００５０】
特に本実施形態では、スライドレール２１に対してスライダ３８が上下方向１７に操作されるので、嵌合ピン３６と嵌合ピン５７との間の距離を変化させる動作がより簡単になるという利点がある。
【００５１】
上記位置決め機構４０が設けられているので、釣人は、スライドレール２１に対してスライダ３８をスライドさせるだけで、スライダ３８を所定位置で一定の保持力で保持させることができる（図６参照）。したがって、嵌合ピン３６及び嵌合ピン５７が船縁を安定して挟持することができる。
【００５２】
ところで、上記嵌合ピン３６及び嵌合ピン５７が貫通孔１６に嵌め込まれていることから（図１参照）、実釣において釣具アタッチメント１０が嵌合ピン３６及び嵌合ピン５７を中心として回動する場合があり、その場合、支持ボード１９に取り付けられた周辺機器が大きく旋回して船体等に衝突する可能性がある。しかし、スライダ３８にブロック５３が設けられているから、このブロック５３が連結ロッド１４や船縁等と接触することにより、支持ボード１９の回動が規制される。しかも、このブロック５３は弾性変形可能であるから、ブロック５３が連結ロッド１４等と接触した状態で大きな外力が作用したとしても当該ブロック５３の破壊は回避されるし、周辺機器が激しく船体と衝突することもない。加えて、前述のように、嵌合ピン５７は、突起５９、６０を備えている（図４参照）。たとえば、アンカ１１の連結ロッド１４の内部に径方向にピンが架け渡されている場合があるが、その場合、当該ピンが突起５９、６０の間に配置される。これにより、支持ボード１９の回動が確実に規制される。もっとも、上記突起５９、６０は省略されてもよい。
【００５３】
次に、本発明の他の実施形態が説明される。
【００５４】
図８及び図９は、他の実施形態に係る釣具アタッチメント７０の外観斜視図及び分解斜視図である。
【００５５】
本実施形態に係る釣具アタッチメント７０が上記実施形態に係る釣具アタッチメント１０と異なるところは、釣具アタッチメント１０は、スライドレール２１に対してスライダ３８がスライドし且つ所定の位置で位置決めされることにより、嵌合ピン３６及び嵌合ピン５７がアンカ１１を挟み込むようになっていたのに対し、本実施形態に係る釣具アタッチメント７０は、付勢機構７２を備えており、スライダ７１が上下方向１７の上向きに弾性的に付勢されている点である。すなわち、釣具アタッチメント１０は、上記位置決め機構４０を備えていたのに対し、釣具アタッチメント７０は、後に上述される付勢機構７２を備えている。この付勢機構７２が設けられることにより、上係合部２２の嵌合ピン７３及び嵌合ピン７４は、当該弾性力でアンカや船縁を挟み込むようになっている。
【００５６】
図１０は、釣具アタッチメント７０の連結具８２の横断面を示す要部拡大斜視図である。図１１は、連結具８２の縦断面を示す要部拡大斜視図である。
【００５７】
スライダ７１は、スライダ本体７５と、スライダ本体７５に設けられたバネ収容部７６及び上記下係合部３９とを備えている。本実施形態では、スライダ本体７５、バネ収容部７６及び下係合部３９は、一体的に形成されている（図１０及び図１１参照）。
【００５８】
スライダ本体７５は、上下方向１７に延びる柱状部材であり、その断面形状はＣ字状に形成されている。スライダ本体７５の上部にスライドレール２１と係合する係合ブロック７７が設けられている。図１０が示すように、係合ブロック７７の断面形状は略矩形であり、これにより、係合ブロック７７はスライドレール２１を囲繞する。係合ブロック７７の側壁８３に係合突起（不図示）が突設されており、この係合突起がスライドレール２１のスライド溝２３と係合している。なお、この係合突起は、上記実施形態で開示された係合突起４６と同様の構成である（図５参照）。図１０が示すように、バネ収容部７６は収容室７８を備えている。この収容室７８は、係合ブロック７７内に区画されている。図１１が示すように、この収容室７８の下端は開放されており、上端部に座部７９が設けられている。この収容室７８にコイルバネ８０が収容されており、コイルバネ８０の上端が座部７９に当接するようになっている。
【００５９】
図９が示すように、スライドレール２１の下端部に保持ピン８１が突設されている。この保持ピン８１は、上向きに突出しており、コイルバネ８０の下端部と嵌合する。すなわち、スライダ７１がスライドレール２１と係合し、上下方向１７に沿ってスライド自在な状態で、コイルバネ８０が保持ピン８１と座部７９（図１１参照）との間に配置される。つまり、スライドレール２１側に設けられた保持ピン８１、コイルバネ８０及びスライダ７１側に設けられた座部７９が上記付勢機構７２を構成している。これにより、スライダ７１はコイルバネ８０の弾性力を受けて常に上向きにスライドし、嵌合ピン７３及び嵌合ピン７４の間の距離は最も小さくなる。
【００６０】
実釣において釣人は、スライダ７１をスライドレール２１に対して下側に移動させる。嵌合ピン７３及び嵌合ピン７４の間の距離は大きくなり、コイルバネ８０が圧縮される。スライダ７１は、大きな弾性力で上向きに付勢され、元の位置に復帰しようとする。釣人は、その状態でたとえばアンカ１１（図１参照）に釣具アタッチメント７０を係合させる。つまり、アンカ１１の貫通孔１６に釣具アタッチメント７０の嵌合ピン７３、７４を嵌め合わす。これにより、圧縮されたコイルバネ８０の弾性復元力で嵌合ピン７３、７４がアンカ１１を挟み込む。なお、釣人は、釣具アタッチメント７０をアンカ１１から外すときは、再びスライダ７１をスライドさせて嵌合ピン７３、７４間の距離を大きくすればよい。
【符号の説明】
【００６１】
１０・・・釣具アタッチメント
１１・・・アンカ
１４・・・連結ロッド
１６・・・貫通孔
１７・・・上下方向
１８・・・連結具
１９・・・支持ボード
２１・・・スライドレール
２２・・・上係合部
２３・・・スライド溝
２４・・・前面
２５・・・嵌合凹部
２６・・・嵌合凹部
２９・・・上下方向と直交する向き
３０・・・当接面
３１・・・傾斜面
３３・・・側面
３５・・・張出アーム
３６・・・嵌合ピン
３７・・・上下方向と直交する向き
３８・・・スライダ
３９・・・下係合部
４０・・・位置決め機構
４１・・・スライダ本体
４２・・・係止爪
４６・・・係合突起
４７・・・係合突起
４８・・・弾性アーム
４９・・・ヘッド
５０・・・基板
５３・・・ブロック
５４・・・孔
５５・・・外周面
５６・・・支持アーム
５７・・・嵌合ピン
６１・・・爪本体
７０・・・釣具アタッチメント
７１・・・スライダ
７２・・・付勢機構
７３・・・嵌合ピン
７４・・・嵌合ピン
７５・・・スライダ本体
７６・・・バネ収容部
７７・・・係合ブロック
７８・・・収容室
７９・・・座部
８０・・・コイルバネ
８１・・・保持ピン
【図１】
2018093767.tif 000003
【図２】
2018093767.tif 000004
【図３】
2018093767.tif 000005
【図４】
2018093767.tif 000006
【図５】
2018093767.tif 000007
【図６】
2018093767.tif 000008
【図７】
2018093767.tif 000009
【図８】
2018093767.tif 000010
【図９】
2018093767.tif 000011
【図１０】
2018093767.tif 000012
【図１１】
2018093767.tif 000013